(57)【要約】【課題】スイングの邪魔になったり、視界の邪魔になったりすることのない、ゴルフのプレー時に着用する身の回り品としての髪止め具を提供する。【解決手段】開閉自在とした挟み部１ａによって、束ねた髪の毛を外側から挟み込むようにしたクリップ１の摘み部１ｂに、ゴルフティーＴの保持部５を設けたものとしている。そして、前記保持部５は、クリップ１の摘み部１ｂの片方の内側に設けたものとしたり、クリップ１の摘み部１ｂの片方の外側に設けたものとしたり、クリップ１の摘み部１ｂの両方の内側又は外側に設けたものとしている。【選択図】図１
2013248010.tif 000002
【特許請求の範囲】
【請求項１】
開閉自在とした挟み部（１ａ）によって、束ねた髪の毛を外側から挟み込むようにしたクリップ（１）の摘み部（１ｂ）に、ゴルフティー（Ｔ）の保持部（５）を設けたことを特徴とする髪止め具。
【請求項２】
前記保持部（５）を、クリップ（１）の摘み部（１ｂ）の片方の内側に設けたことを特徴とする請求項１記載の髪止め具。
【請求項３】
前記保持部（５）を、クリップ（１）の摘み部（１ｂ）の片方の外側に設けたことを特徴とする請求項１記載の髪止め具。
ものとしている。
【請求項４】
前記保持部（５）を、クリップ（１）の摘み部（１ｂ）の両方の内側又は外側に設けたことを特徴とする請求項１記載の髪止め具。
【請求項５】
前記保持部（５）を、上部に漏斗状の差込み部（５ａ）を設け、下部に通孔（５ｂ）を設けたものとしたことを特徴とする請求項１〜４の何れかに記載の髪止め具。
【請求項６】
前記保持部（５）を、上下端を開口した包囲体（６）の内部に、スリット状の差込み部（５ｃ）を有する弾性体（Ｅ）を設けたものとしたことを特徴とする請求項１〜４の何れかに記載の髪止め具。
【発明の詳細な説明】
【技術分野】
【０００１】
この発明は、ゴルフのプレー時に着用する髪止め具に関するものである。
【背景技術】
【０００２】
従来より、ゴルフのプレーに必要とされるゴルフティーはズボンなど衣類のポケットに入れて保持することが多かったが、取り出し難くかったり、取り出しに時間が掛かるという問題があるため、ゴルフティーの保持部を設けたゴルフグローブやゴルフキャップが発案されるに至っている。
【０００３】
このようなゴルフグローブとしては、手の甲側を形成するグローブの甲側部材にゴルフティーの保持部材を取り付けたもの（特許文献１）が存在し、またゴルフキャップとしては、キャップの鍔部の下面にゴルフティーの保持部材を取り付けたもの（特許文献２）が存在する。
【先行技術文献】
【特許文献】
【０００４】
【特許文献１】特開２００１ー２４６０３９号公報
【特許文献２】実用新案登録第３１１５１７７号公報
【発明の概要】
【発明が解決しようとする課題】
【０００５】
しかしながら、上記従来のゴルフグローブでは、グローブの甲側部材に取り付けたゴルフティー保持部材やゴルフティーが、スイングの邪魔になるという課題を有していた。
【０００６】
さらに、上記従来のゴルフキャップでは、キャップの鍔部の下面に取り付けたゴルフティー保持部材やゴルフティーが、視界の邪魔になるという課題を有していた。
【０００７】
そこで、この発明は、上記従来のゴルフグローブやゴルフキャップにおける課題を解決するために、ゴルフのプレー時に着用するゴルフグローブやゴルフキャップ以外の他の身の回り品に着目し、スイングの邪魔になったり、視界の邪魔になったりすることのない、ゴルフのプレー時に着用する身の回り品としての髪止め具を提供することを目的としてなされたものである。
【課題を解決するための手段】
【０００８】
この発明の髪止め具は、開閉自在とした挟み部１ａによって、束ねた髪の毛を外側から挟み込むようにしたクリップ１の摘み部１ｂに、ゴルフティーＴの保持部５を設けたものとしている。
【０００９】
この発明の髪止め具において、前記保持部５は、クリップ１の摘み部１ｂの片方の内側に設けたものとしている。
【００１０】
この発明の髪止め具において、前記保持部５は、クリップ１の摘み部１ｂの片方の外側に設けたものとしている。
【００１１】
この発明の髪止め具において、前記保持部５は、クリップ１の摘み部１ｂの両方の内側又は外側に設けたものとしている。
【００１２】
この発明の髪止め具において、前記保持部５は、上部に漏斗状の差込み部５ａを設け、下部に通孔５ｂを設けたものとしている。
【００１３】
この発明の髪止め具において、前記保持部５は、上下端を開口した包囲体６の内部に、スリット状の差込み部５ｃを有する弾性体Ｅを設けたものとしている。
【発明の効果】
【００１４】
この発明の髪止め具は、以上に述べたような構成としているので、ゴルフティーＴを簡単に保持することができるものとなり、ゴルフのプレー時に着用すれば、スイングの邪魔になったり、視界の邪魔になったりすることがないものとなった。
【図面の簡単な説明】
【００１５】
【図１】この発明の髪止め具の一実施形態を示す斜視図である。
【図２】図１に示すこの発明の髪止め具の平面図である。
【図３】図２中のＡ−Ａ線による断面図である。
【図４】この発明の髪止め具の他の実施形態を示す斜視図である。
【図５】図４に示すこの発明の髪止め具の平面図である。
【図６】図５中のＢ−Ｂ線による断面図である。
【図７】この発明の髪止め具のさらに他の実施形態を示す斜視図である。
【図８】図７に示すこの発明の髪止め具の平面図である。
【図９】図７中のＣ−Ｃによる断面図である。
【発明を実施するための形態】
【００１６】
以下、この発明の髪止め具を実施するための形態を、図面に基づいて詳細に説明する。
【００１７】
この発明の髪止め具は、例えば髪の毛を後ろで束ねるポニーテールのような髪型にする場合等に一般的に用いられるものであり、束ねた髪の毛を外側から挟み込むようにしており、合成樹脂板等から構成されるのが好ましく、一対のクリップ１の間にコイルばね２を軸支したものとしている。すなわち、前記クリップ１は、それぞれ挟み部１ａと摘み部１ｂを連接してなり、その連接部にそれぞれブラケット３を設け、これらブラケット３をそれぞれ重ね合わせて、ブラケット３間に支軸４を掛け渡し、コイルばね２の巻部をこの支軸４に通すと共に、コイルばね２の両巻端をクリップ１の摘み部１ｂに当接させたものとしている。
【００１８】
このようにしたこの発明の髪止め具は、摘み部１ｂを手指で摘んだり離したりすることにより、挟み部１ａを開閉自在とすることができ、この挟み部１ａによって束ねた髪の毛を外側から挟み込むようにしている。なお、図１〜３及び図４〜６に示したものは、クリップ１を縦長とし、束ねた髪の毛を縦方向から挟み込むようにしており、図７〜９に示したものは、クリップ１を横長とし、束ねた髪の毛を横方向から挟み込むようにしている。また、前記クリップ１は、挟み部１ａを、図示したものでは、湾曲させた櫛状としているが、湾曲させた板状等としてもよく、また摘み部１ｂを、図示したものでは、湾曲させた板状としているが、平らな板状等としてもよい。
【００１９】
そして、この発明の髪止め具は、前記クリップ１の摘み部１ｂに、ゴルフティーＴの保持部５を設けたものとしている。
【００２０】
図１〜３及び図４〜６に示したこの発明の髪止め具は、前記保持部５をクリップ１の摘み部１ｂの片方の上部の内側に設けたものとしている。このようにすると、クリップ１の挟み部１ａで束ねた髪の毛を挟んだ場合、その挟んだ髪の毛が保持部５に接近したり、接触することがないので、保持部５にゴルフティーＴに出し入れする時に、髪の毛が邪魔になることがないものとなる。
【００２１】
図７〜９に示したこの発明の髪止め具は、前記保持部５をクリップ１の摘み部１ｂの片方の外側に設けたものとしている。このようにすると、クリップ１の摘み部１ｂの摘み幅が制限されることがないので、挟み部１ａを大きく広げることができ、髪の毛が挟み難くなるようなことがないものとなる。
【００２２】
なお、図示したこの発明の髪止め具は、前記保持部５をクリップ１の摘み部１ｂの片方の内側又は外側に設けたものとしているが、図２、５、８に仮想線で示したように、クリップ１の摘み部１ｂの両方の内側又は外側に設けたものとしてもよい。さらに、この発明の髪止め具は、図示していないが、前記保持部５をクリップ１の摘み部１ｂの片方の内側に設けると共にもう片方の外側に設けたものとしてもよい。このようにすると、前記保持部５に複数本のゴルフティーＴが保持できるものとなる。
【００２３】
前記保持部５は、図１〜３及び図７〜９に示したように、上部に漏斗状の差込み部５ａを設け、下部に通孔５ｂを設けたものとしている。この差込み部５ａの平面形状は、図示したものでは半円形状としているが、円形、楕円形、多角形などとすることもでき、ゴルフティーＴのゴルフボール載置部Ｔｐの直径より大きく形成し、ゴルフティーＴの突刺し部Ｔｉが差し込み易いようにしている。また、貫通孔５ｂの平面形状は、図示したものでは円形状としているが、多角形などとすることもでき、ゴルフティーＴの突刺し部Ｔｉが丁度、貫通する位の大きさか、少し狭く形成し、ゴルフティーＴの突刺し部Ｔｉが抜け難いようにしている。
【００２４】
さらに、前記保持部５は、図４〜６に示したように、上下端を開口した包囲体６の内部に、スリット状の差込み部５ｃを有する弾性体Ｅを設けたものとしている。この弾性体Ｅは、軟質ゴムやスポンジからなるものとし、差込み部５ｃにゴルフティーＴの突刺し部Ｔｉを差し込めるようにしており、差し込まれたゴルフティーＴに弾性体Ｅの弾力を付与させて、そのゴルフティーＴが差込み部５ｃから簡単に抜け落ちてしまわないようにしている。また、包囲体６の上端開口の平面形状は、図示したものでは長方形状としているが、円形、楕円形などとすることもでき、ゴルフティーＴのゴルフボール載置部Ｔｐの直径より大きく形成し、ゴルフティーＴの突刺し部Ｔｉが差し込み易いようにしている。
【００２５】
この発明の髪止め具は、以上に述べたように構成されているので、これを使用するには、次のようにして行う。
【００２６】
先ず、この発明の髪止め具は、髪の毛に着用する前に、保持部５の差込み部５ａ、５ｃにゴルフティーＴを差し込み、ゴルフボール載置部Ｔｐが差込み部５ａ、５ｃから飛び出した状態になり、突刺し部Ｔi が通孔５ｂを貫通する状態になるようにして、保持部５にゴルフティーＴを保持しておく。
【００２７】
このようにゴルフティーＴを保持部５に保持したこの発明の髪止め具は、クリップ１の摘み部１ｂを手で摘んで、この挟み部１ａを広げ、束ねた髪の毛をその挟み部１ａで挟み込んで手を離せば、通常の髪止め具と同様にして、髪の毛に着用することができる。
【００２８】
ゴルフのプレー中にゴルフティーＴを使用する時には、頭に手をやって、手さぐりで保持部５の差込み部５ａから飛び出したゴルフティーＴのゴルフボール載置部Ｔｐを摘んで、その保持部５からゴルフティーＴを取り出す。この場合、ゴルフティーＴのゴルフボール載置部Ｔｐが保持部５の差込み部５ａから飛び出しているので、手さぐりであってもゴルフティーＴを簡単に取り出すことができる。
【００２９】
ゴルフのプレー中にゴルフティーＴを使用しない時には、頭に手をやり、髪止め具を着用する前に、この髪止め具にゴルフティーＴを保持したのと同様の状態になるように、手さぐりで保持部５にゴルフティーＴを保持しておく。この場合、保持部５の差込み部５ａや包囲体６の上端開口は、ゴルフティーＴのゴルフボール載置部Ｔｐの直径より大きく形成しているので、このゴルフボール載置部Ｔｐの直径より小さい突刺し部Ｔi は、手さぐりであっても保持部５の差込み部５ａ、５ｃに簡単に差し込むことができる。
【００３０】
したがって、以上のように構成したこの発明の髪止め具は、ゴルフのプレー時に着用すれば、ゴルフティーＴを簡単に保持することができるものとなり、スイングの邪魔になったり、視界の邪魔になったりすることがないものとなった。
【符号の説明】
【００３１】
１  クリップ
１ａ  挟み部
１ｂ  摘み部
５  保持部
５ａ  差込み部
５ｂ  通孔
５ｃ  差込み部
Ｅ  弾性体
Ｔ  ゴルフティー
【図１】
2013248010.tif 000003
【図２】
2013248010.tif 000004
【図３】
2013248010.tif 000005
【図４】
2013248010.tif 000006
【図５】
2013248010.tif 000007
【図６】
2013248010.tif 000008
【図７】
2013248010.tif 000009
【図８】
2013248010.tif 000010
【図９】
2013248010.tif 000011